(57)【要約】【解決手段】  本発明の根底をなす着想は、カバーキャップ２、または、他の光線透過性の領域の内側面２．１に、センサー１の変換器３の上側で、光Ｌを同様に散乱するがしかしながら同時にはるかに僅かの減衰を有する微小球体６を備えることである。これら微小球体６は、有利には、この内側面２．１内に貼り付けられ、または溶融される。球体材料として、合成物質またはガラスが可能である。透明性、並びに、ほぼ球のような形をした形状は、重要である。
2007503588.tif 000002
【特許請求の範囲】
【請求項１】
ソーラーセンサーであって、このソーラーセンサーが、例えばキャップ（２）またはケーシング内において、変換器（３）、およびこの変換器の上方に設けられている光線透過性の領域（２．２）を有する様式の上記ソーラーセンサーにおいて、
この光線透過性の領域内において、微小球体（６）が設けられており、これら微小球体において、この領域を通って射出する光（Ｌ）が、再び拡散されるように構成されていることを特徴とするソーラーセンサー。
【請求項２】
微小球体（６）は、光線透過性の領域の内側面に貼り付けられていることを特徴とする請求項１に記載のソーラーセンサー。
【請求項３】
微小球体（６）は、光線透過性の領域の内側面に溶融されていることを特徴とする請求項１に記載のソーラーセンサー。
【請求項４】
微小球体（６）は、層として、付着されている、または溶融されていることを特徴とする請求項１から３のいずれか一つに記載のソーラーセンサー。
【請求項５】
微小球体（６）は、球のような形をした形状を有していることを特徴とする請求項１から４のいずれか一つに記載のソーラーセンサー。
【請求項６】
微小球体（６）は、合成物質、またはガラスから成ることを特徴とする請求項１から５のいずれか一つに記載のソーラーセンサー。
【請求項７】
微小球体（６）は、４０μｍと７０μｍとの間の直径を備えていることを特徴とする請求項１から６のいずれか一つに記載のソーラーセンサー。
【発明の詳細な説明】
【技術分野】
【０００１】
本発明は、例えばキャップまたはケーシング内において、変換器、およびこの変換器の上方に設けられている光線透過性の領域を有する、ソーラーセンサーに関する。
【背景技術】
【０００２】
ヨーロッパ特許第４９２  ３５２号明細書（特許文献１）から、ソーラーセンサーが公知であり、このソーラーセンサーは、電気−光学的な変換器として、光感応性の面を有している。このセンサーの変換器の上側に設けられているレンズは、その際に、ケーシングの一部であり、この部分が、レンズのように、光透過性の材料、例えば合成物質、またはガラスから成っている。このレンズ材料は、自身で光を散乱させる。
【０００３】
同様にドイツ連邦共和国特許出願公開第１００  ６２  ９３２号明細書（特許文献２）は、ソーラーセンサーを記載している。電気−光学的な変換器は、その際、入射する太陽光のためのカバー内に組み込まれた散乱領域の下側に装着されている。この散乱領域、および電気−光学的な変換器は、太陽光がこの変換器を照射する前に、この第１の光入射角度範囲内において入射する太陽光が、この散乱領域を通って散乱されるように互いに配設されている。この太陽光は、このことによって、予め与えられた角度範囲内において散乱され、これに対して、この太陽光が、この範囲の範囲外で散乱されない。この第１の角度範囲内における太陽光の散乱によって、この変換器を照射する太陽光の低減が達せられ、このことによって、信号過大は、この角度範囲内において回避、または低減される。この散乱領域は、このセンサーのカバーの残っている表面と比較して増大された表面粗面状態を有している。
【特許文献１】ヨーロッパ特許第４９２  ３５２号明細書
【特許文献２】ドイツ連邦共和国特許出願公開第１００  ６２  ９３２号明細書
【発明の開示】
【発明が解決しようとする課題】
【０００４】
従って、本発明の課題は、同様に太陽光の傾斜の緩やかな入射角度の場合でも、太陽負荷に比例している信号を発する、ソーラーセンサーを提供することである。
【課題を解決するための手段】
【０００５】
この課題は、請求項１の特徴によって解決される。
【発明の効果】
【０００６】
本発明の根底をなす着想は、カバーキャップ、もしくは、センサーの変換器を覆う光線透過性の領域の内側面に、光を同様に散乱するがしかしながら同時にはるかに僅かの減衰を有する微小球体を備えることである。これら微小球体は、有利には、この表面内に貼り付けられ、または溶融される（eingeschmolzen）。球体材料として、合成物質またはガラスが可能である。透明性、並びに、ほぼ球のような形をした形状は、重要である。
【０００７】
これら微小球体は、比較的に高い光を散乱する作用を有している。何故ならば、これら微小球体が、これら微小球体の形状によって、急傾斜の側面の大きな増大を、公知の微小構造体に比べて有しているからである。このことは、比較的に強度な付加的な屈折を生起し、その際、この付加的な屈折が、この球体内への入射の際に生じる。これら微小球体自体は、僅かの吸収、即ち僅かの吸収特性を備えており、従って、比較的に小さな受光面でもって、比較可能な信号が形成可能になる。この散乱は、それに加えて、球形部の連続的な経過に基づいて均一である。
【０００８】
この解決策の利点は、強度な、且つ意図された散乱作用にもかかわらず、高い光強度を維持された状態に留まることにある。
更に別の利点は、センサーの製造の際に与えられる。
微小球体は、このセンサーの合成物質キャップの内側面の全体に付着され得る。工具における、その他に公知の付着は、回避される。
【０００９】
次に、図を有する実施例に基づいて、本発明を詳しく説明する。ただ１つの図は、部分断面図における、最も重要な部分を図示されたソーラーセンサー１のためのカバーキャップを示している。
【発明を実施するための最良の形態】
【００１０】
ソーラーセンサー１は、ケーシング、即ちキャップ２を有し、このキャップが、
変換器３、並びに、
更に別のこのセンサー１内に設けられている電気的な構成要素４、および、
これら構成要素３、４の収容、およびこのセンサー１の内側の他の詳細に図示されていない構成部品群もしくはこのセンサー１の外側に設けられている更に別の構成部品群１０とのこれら構成要素３、４の電気的な接触のためのプリント基板５、
を覆っている。
本実施例において、キャップ２の全体は、光線透過性の領域２．２である。しかしながら同様に、比較的に小さな領域も可能である。このセンサーキャップ２の下側に、有利には、このセンサーキャップの内側面２．１の上に微小球体６の層が設けられており、この微小球体を通って、このキャップ２の光線透過性の領域２.２を通り抜けた後の光Ｌが、再び、且つ従って付加的に散乱され、且つこの変換器３の上に導かれる。
【００１１】
キャップ２は、有利には、合成物質、またはガラスから成っている。微小球体６は、類似のまたは同一の材料を備えており、且つ、このキャップ２のように透明である。微小球体６の形状は、有利には、球形、少なくともしかしながら、球のような形である。
これら微小球体（英語ではmicrospheres）は、例えば４０μｍと７０μｍとの間の直径を有している。他の大きさは、全く同様に有効に使用され得るが、しかしながら、場合によっては、使用または処理の際に、問題をもたらす可能性がある。上記の直径範囲は、ふるい分けによって製造され、且つ、種々の製造者を介して購入することができる。例えば、Ｐｏｔｔｅｒｓ社、ＳｉＬｉ社、またはＳｉｌｔｒａｄｅ社から購入することができる。
【００１２】
変換器３は、電気−光学的な変換器、赤外線変換器、または他の公知の変換器であり、この変換器が、光線に等価の電気的な信号を出力する。
【図面の簡単な説明】
【００１３】
【図１】部分断面図における、最も重要な部分を図示されたソーラーセンサー１のためのカバーキャップの図である。
2007503588.tif 000003
【国際調査報告】
2007503588.tif 000004
2007503588.tif 000005
2007503588.tif 000006
2007503588.tif 000007